(57)【要約】【課題】ハンドオーバにおける基地局間のコントロールプレーンのトラフィック負荷の低減を図る。【解決手段】管理装置は、端末装置からハンドオーバ元の基地局装置を介して測定報告を取得し、測定報告に基づいて端末装置のハンドオーバの決定を行い、ハンドオーバを決定した端末装置のハンドオーバ先の基地局装置の無線通信リソースの情報に基づいて端末装置のハンドオーバの許可制御を行い、ハンドオーバの許可である端末装置へハンドオーバ元の基地局装置を介してハンドオーバ指示を行うと共にハンドオーバ先の基地局装置へハンドオーバ指示を行う。ハンドオーバ元の基地局装置は管理装置から端末装置へのハンドオーバ指示に基づいて端末装置のハンドオーバの準備を行う。ハンドオーバ先の基地局装置は管理装置からのハンドオーバ指示に基づいて端末装置のハンドオーバの準備を行う。【選択図】図５
2019068200.tif 000002
【特許請求の範囲】
【請求項１】
複数の基地局装置と、前記基地局装置との間で無線通信を行う端末装置と、前記基地局装置との間でコントロールプレーンの通信を行う管理装置とを備え、
前記管理装置は、
前記端末装置と前記基地局装置との間の無線通信品質の測定報告を、前記端末装置からハンドオーバ元の基地局装置を介して取得する測定報告取得部と、
前記測定報告に基づいて前記端末装置のハンドオーバの決定を行うハンドオーバ決定部と、
ハンドオーバを決定した前記端末装置のハンドオーバ先の基地局装置の無線通信リソースの情報に基づいて前記端末装置のハンドオーバの許可制御を行う許可制御部と、
ハンドオーバの許可である前記端末装置へ前記ハンドオーバ元の基地局装置を介してハンドオーバ指示を行うと共に、前記ハンドオーバ先の基地局装置へハンドオーバ指示を行うハンドオーバ指示部と、を備え、
前記ハンドオーバ元の基地局装置は、前記管理装置から前記端末装置へのハンドオーバ指示に基づいて前記端末装置のハンドオーバの準備を行う基地局制御部を備え、
前記ハンドオーバ先の基地局装置は、前記管理装置からのハンドオーバ指示に基づいて前記端末装置のハンドオーバの準備を行う基地局制御部を備える、
無線通信システム。
【請求項２】
前記ハンドオーバ元の基地局装置の基地局制御部は、前記端末装置から受信した測定報告を前記管理装置へ転送してから所定の待ち時間の経過後に、前記端末装置へダウンリンク割り当てを行う、
請求項１に記載の無線通信システム。
【請求項３】
複数の基地局装置と、前記基地局装置との間で無線通信を行う端末装置と、前記基地局装置との間でコントロールプレーンの通信を行う管理装置とを備える無線通信システムのハンドオーバ方法であり、
前記管理装置が、前記端末装置と前記基地局装置との間の無線通信品質の測定報告を、前記端末装置からハンドオーバ元の基地局装置を介して取得する測定報告取得ステップと、
前記管理装置が、前記測定報告に基づいて前記端末装置のハンドオーバの決定を行うハンドオーバ決定ステップと、
前記管理装置が、ハンドオーバを決定した前記端末装置のハンドオーバ先の基地局装置の無線通信リソースの情報に基づいて前記端末装置のハンドオーバの許可制御を行う許可制御ステップと、
前記管理装置が、ハンドオーバの許可である前記端末装置へ前記ハンドオーバ元の基地局装置を介してハンドオーバ指示を行うと共に、前記ハンドオーバ先の基地局装置へハンドオーバ指示を行うハンドオーバ指示ステップと、
前記ハンドオーバ元の基地局装置が、前記端末装置へのハンドオーバ指示に基づいて前記端末装置のハンドオーバの準備を行うハンドオーバ元基地局制御ステップと、
前記ハンドオーバ先の基地局装置が、前記管理装置からのハンドオーバ指示に基づいて前記端末装置のハンドオーバの準備を行うハンドオーバ先基地局制御ステップと、
を含むハンドオーバ方法。
【請求項４】
前記ハンドオーバ元の基地局装置が、前記端末装置から受信した測定報告を前記管理装置へ転送してから所定の待ち時間の経過後に、前記端末装置へダウンリンク割り当てを行うダウンリンク割り当てステップ、
をさらに含む請求項３に記載のハンドオーバ方法。
【発明の詳細な説明】
【技術分野】
【０００１】
本発明は、無線通信システム及びハンドオーバ方法に関する。
【背景技術】
【０００２】
ＬＴＥ（Long Term Evolution）システムと呼ばれる無線通信システムにおけるハンドオーバ（Handover）のシグナリングプロトコルが例えば非特許文献１に記載されている。図６は、ＬＴＥシステムにおける従来のハンドオーバ方法の一例を示すシーケンスチャートである。図６において、ユーザプレーン（user plane：U-plane）が表記されていない信号は、コントロールプレーン（control plane：C-plane）である。以下、図６を参照して従来のハンドオーバ方法を説明する。
【０００３】
図６において、端末装置（user equipment：ＵＥ）のユーザプレーンのパケットは、当該ＵＥが接続するハンドオーバ元の基地局装置（Source eNodeB）を介して、サービング・ゲートウェイ（Serving Gateway：Ｓ−ＧＷ）との間で送受されている。ＵＥが接続するハンドオーバ元の基地局装置は、測定制御情報（Measurement Configuration）を当該ＵＥへ送信し（ステップＳ１０１）、当該ＵＥに対してアップリンク（Uplink）の割り当て（UL Allocation）を行い（ステップＳ１０２）、当該ＵＥから測定報告（Measurement Report）を受信する（ステップＳ１０３）。次いで、ハンドオーバ元の基地局装置は、ＵＥから受信した測定報告に基づいて当該ＵＥのハンドオーバの決定（Handover Decision）を行う（ステップＳ１０４）。次いで、ハンドオーバ元の基地局装置は、ハンドオーバを決定したＵＥのハンドオーバ先の基地局装置（Target eNodeB）へ、ハンドオーバ要求（Handover Request）を行う（ステップＳ１０５ａ）。次いで、ハンドオーバ先の基地局装置は、ハンドオーバ要求の許可制御（Admission Control）を行い（ステップＳ１０５ｂ）、その制御結果をハンドオーバ元の基地局装置へ返答（Handover Request ACK）する（ステップＳ１０５ｃ）。次いで、ハンドオーバ元の基地局装置は、ハンドオーバ先の基地局装置からの返答が許可である場合には、ＵＥに対してダウンリンク（Downlink）の割り当て（DL Allocation）を行い（ステップＳ１０６）、当該ＵＥに対してハンドオーバ指示（Handover Command）を行う（ステップＳ１０７）。次いで、ＵＥは、ハンドオーバ元の基地局装置からのデタッチを行い、ハンドオーバ先の基地局装置へのハンドオーバを行う（ステップＳ１０８）。ハンドオーバ元の基地局装置は、アップリンクについてハンドオーバ先の基地局装置へのパケット引継ぎ処理を行う（ステップＳ１０９）。次いで、ハンドオーバ元の基地局装置は、「SN（sequence number） Status Transfer」をハンドオーバ先の基地局装置へ送信する（ステップＳ１１０）。次いで、ハンドオーバ元の基地局装置とハンドオーバ先の基地局装置との間で、ユーザプレーンのアップリンクのデータ転送が行われる。ハンドオーバ先の基地局装置は、アップリンクについてハンドオーバ元の基地局装置からのパケット引継ぎ処理を行う（ステップＳ１１１）。
【０００４】
ＵＥは、ハンドオーバ先の基地局装置との同期確立（Synchronization）を行う（ステップＳ１１２）。次いで、ハンドオーバ先の基地局装置は、ＵＥに対して、アップリンク（Uplink）の割り当て（UL Allocation）とタイミング調整（TA（Timing Advance））を行う（ステップＳ１１３）。次いで、ＵＥは、ハンドオーバ完了（Handover Confirm）をハンドオーバ先の基地局装置へ送信する（ステップＳ１１４）。
【０００５】
次いで、ハンドオーバ先の基地局装置は、パス切替要求（Path Switch Request）をＭＭＥ（Mobility Management Entity）へ送信する（ステップＳ１１５）。ＭＭＥは、パス切替要求に応じて、ユーザプレーンアップデート要求（User Plane Update Request）をＳ−ＧＷへ送信する（ステップＳ１１６）。Ｓ−ＧＷは、ユーザプレーンアップデート要求に応じて、ダウンリンクのパス切替を行う（ステップＳ１１７）。次いで、Ｓ−ＧＷは、ユーザプレーンアップデート応答（User Plane Update Reply）をＭＭＥへ返信する（ステップＳ１１８）。次いで、ＭＭＥは、パス切替要求確認応答（Path Switch Request ACK）をハンドオーバ先の基地局装置へ返信する（ステップＳ１１９）。次いで、ハンドオーバ先の基地局装置は、リソース解放（Release Resource）をハンドオーバ元の基地局装置へ送信する（ステップＳ１２０）。次いで、ハンドオーバ元の基地局装置は、ダウンリンクについてハンドオーバ先の基地局装置へのパケット引継ぎ処理を行う（ステップＳ１２１）。次いで、ハンドオーバ元の基地局装置とハンドオーバ先の基地局装置との間で、ユーザプレーンのダウンリンクのデータ転送がエンドマーカ（End Marker）まで行われる。次いで、ハンドオーバ元の基地局装置は、リソース解放を行う（ステップＳ１２２）。以降、ＵＥのユーザプレーンのパケットは、当該ＵＥが接続するハンドオーバ先の基地局装置を介して、Ｓ−ＧＷとの間で送受される。
【先行技術文献】
【非特許文献】
【０００６】
【非特許文献１】Toktam Mahmoodiy, Srini Seetharaman、“On Using a SDN-based Control Plane in 5G Mobile Networks”、Wireless World Research Forum、vol. 32、May 2014.
【発明の概要】
【発明が解決しようとする課題】
【０００７】
上述した従来のハンドオーバ方法では、ハンドオーバにおける基地局間のコントロールプレーンのトラフィック負荷を低減させることが一つの課題であった。
【０００８】
本発明は、このような事情を考慮してなされたものであり、その目的は、ハンドオーバにおける基地局間のコントロールプレーンのトラフィック負荷の低減を図ることにある。
【課題を解決するための手段】
【０００９】
（１）本発明の一態様は、複数の基地局装置と、前記基地局装置との間で無線通信を行う端末装置と、前記基地局装置との間でコントロールプレーンの通信を行う管理装置とを備え、前記管理装置は、前記端末装置と前記基地局装置との間の無線通信品質の測定報告を、前記端末装置からハンドオーバ元の基地局装置を介して取得する測定報告取得部と、前記測定報告に基づいて前記端末装置のハンドオーバの決定を行うハンドオーバ決定部と、ハンドオーバを決定した前記端末装置のハンドオーバ先の基地局装置の無線通信リソースの情報に基づいて前記端末装置のハンドオーバの許可制御を行う許可制御部と、ハンドオーバの許可である前記端末装置へ前記ハンドオーバ元の基地局装置を介してハンドオーバ指示を行うと共に、前記ハンドオーバ先の基地局装置へハンドオーバ指示を行うハンドオーバ指示部と、を備え、前記ハンドオーバ元の基地局装置は、前記管理装置から前記端末装置へのハンドオーバ指示に基づいて前記端末装置のハンドオーバの準備を行う基地局制御部を備え、前記ハンドオーバ先の基地局装置は、前記管理装置からのハンドオーバ指示に基づいて前記端末装置のハンドオーバの準備を行う基地局制御部を備える、無線通信システムである。
（２）本発明の一態様は、上記（１）の無線通信システムにおいて、前記ハンドオーバ元の基地局装置の基地局制御部は、前記端末装置から受信した測定報告を前記管理装置へ転送してから所定の待ち時間の経過後に、前記端末装置へダウンリンク割り当てを行う、無線通信システムである。
【００１０】
（３）本発明の一態様は、複数の基地局装置と、前記基地局装置との間で無線通信を行う端末装置と、前記基地局装置との間でコントロールプレーンの通信を行う管理装置とを備える無線通信システムのハンドオーバ方法であり、前記管理装置が、前記端末装置と前記基地局装置との間の無線通信品質の測定報告を、前記端末装置からハンドオーバ元の基地局装置を介して取得する測定報告取得ステップと、前記管理装置が、前記測定報告に基づいて前記端末装置のハンドオーバの決定を行うハンドオーバ決定ステップと、前記管理装置が、ハンドオーバを決定した前記端末装置のハンドオーバ先の基地局装置の無線通信リソースの情報に基づいて前記端末装置のハンドオーバの許可制御を行う許可制御ステップと、前記管理装置が、ハンドオーバの許可である前記端末装置へ前記ハンドオーバ元の基地局装置を介してハンドオーバ指示を行うと共に、前記ハンドオーバ先の基地局装置へハンドオーバ指示を行うハンドオーバ指示ステップと、前記ハンドオーバ元の基地局装置が、前記端末装置へのハンドオーバ指示に基づいて前記端末装置のハンドオーバの準備を行うハンドオーバ元基地局制御ステップと、前記ハンドオーバ先の基地局装置が、前記管理装置からのハンドオーバ指示に基づいて前記端末装置のハンドオーバの準備を行うハンドオーバ先基地局制御ステップと、を含むハンドオーバ方法である。
（４）本発明の一態様は、上記（３）のハンドオーバ方法において、前記ハンドオーバ元の基地局装置が、前記端末装置から受信した測定報告を前記管理装置へ転送してから所定の待ち時間の経過後に、前記端末装置へダウンリンク割り当てを行うダウンリンク割り当てステップ、をさらに含むハンドオーバ方法である。
【発明の効果】
【００１１】
本発明によれば、ハンドオーバにおける基地局間のコントロールプレーンのトラフィック負荷の低減を図ることができるという効果が得られる。
【図面の簡単な説明】
【００１２】
【図１】一実施形態に係る無線通信システムの構成例を示す図である。
【図２】一実施形態に係る端末装置１の構成例を示すブロック図である。
【図３】一実施形態に係る基地局装置３の構成例を示すブロック図である。
【図４】一実施形態に係る管理装置５の構成例を示すブロック図である。
【図５】一実施形態に係るハンドオーバ方法の一例を示すシーケンスチャートである。
【図６】従来のハンドオーバ方法の一例を示すシーケンスチャートである。
【発明を実施するための形態】
【００１３】
以下、図面を参照し、本発明の実施形態について説明する。
図１は、一実施形態に係る無線通信システムの構成例を示す図である。図１において、無線通信システムは、端末装置１と、複数の基地局装置３Ｓ，３Ｔと、管理装置５とを備える。基地局装置３ＳはセルＣＥＬＳを有する。端末装置１は、セルＣＥＬＳに在圏している。端末装置１は、基地局装置３Ｓに接続して無線信号１００を送受し、基地局装置３Ｓとの間で無線通信を行っている。基地局装置３Ｓは、端末装置１のハンドオーバ元の基地局装置である。基地局装置３Ｔは、セルＣＥＬＴを有する。端末装置１は、セルＣＥＬＴの境界付近に在る。基地局装置３Ｔは、端末装置１のハンドオーバ先の基地局装置である。
【００１４】
基地局装置３Ｓと基地局装置３Ｔとは、コントロールプレーン２０３の通信を行う。また、基地局装置３Ｓと基地局装置３Ｔとは、ユーザプレーン３０３の通信を行う。以下、基地局装置３Ｓ，３Ｔを特に区別しないときは基地局装置３と称する。
【００１５】
管理装置５は、無線通信システムのコントロールプレーンを扱う装置である。管理装置５と基地局装置３Ｓとは、コントロールプレーン２０１の通信を行う。管理装置５と基地局装置３Ｔとは、コントロールプレーン２０２の通信を行う。
【００１６】
Ｓ−ＧＷ７は、ユーザプレーンを扱う装置である。Ｓ−ＧＷ７と基地局装置３Ｓとは、ユーザプレーン３０１の通信を行う。Ｓ−ＧＷ７と基地局装置３Ｔとは、ユーザプレーン３０２の通信を行う。Ｓ−ＧＷ７は、無線通信システムの外部の通信ネットワーク例えばインターネット９との間でユーザプレーン３０４の通信を行う。端末装置１のユーザプレーンのパケットは、当該端末装置１が接続するハンドオーバ元の基地局装置３Ｓを介して、Ｓ−ＧＷ７との間で送受されている。端末装置１は、Ｓ−ＧＷ７を介して、無線通信システムの外部の通信ネットワーク例えばインターネット９との間でユーザプレーンの通信を行う。管理装置５とＳ−ＧＷ７とは、コントロールプレーン２０４の通信を行う。
【００１７】
図２は、本実施形態に係る端末装置１の構成例を示すブロック図である。図２において、端末装置１は、無線通信部１１と、端末制御部１２と、端末記憶部１３とを備える。無線通信部１１は、基地局装置３との間で無線通信を行う。端末制御部１２は、端末装置１の制御を行う。端末記憶部１３は、端末情報１４等のデータを記憶する。端末情報１４は、自己の端末装置１がサポートする無線通信方式及び無線周波数帯等の無線通信リソースの情報などを含む端末装置１の情報である。
【００１８】
端末制御部１２の機能は、端末装置１が備えるＣＰＵ（Central Processing Unit：中央演算処理装置）がコンピュータプログラムを実行することにより実現される。端末装置１は、例えば、スマートフォンやタブレット型のコンピュータ（タブレットＰＣ）等の携帯通信端末装置であってもよい。
【００１９】
図３は、本実施形態に係る基地局装置３の構成例を示すブロック図である。図３において、基地局装置３は、無線通信部３１と、通信部３２と、基地局制御部３３と、基地局記憶部３４とを備える。無線通信部３１は、端末装置１との間で無線通信を行う。通信部３２は、他の基地局装置３、管理装置５及びＳ−ＧＷ７との間で通信を行う。基地局制御部３３は、基地局装置３の制御を行う。基地局記憶部３４は、端末情報３５及び基地局情報３６等のデータを記憶する。端末情報３５は、自基地局装置３の配下の端末装置１がサポートする無線通信方式及び無線周波数帯等の無線通信リソースの情報などを含む端末装置１の情報である。基地局情報３６は、自己の基地局装置３がサポートする無線通信方式及び無線周波数帯等の無線通信リソースの情報などを含む基地局装置３の情報である。基地局制御部３３の機能は、基地局装置３が備えるＣＰＵがコンピュータプログラムを実行することにより実現される。
【００２０】
図４は、本実施形態に係る管理装置５の構成例を示すブロック図である。図４において、管理装置５は、通信部５１と、管理装置制御部５２と、管理情報記憶部５３とを備える。管理装置制御部５２は、測定報告取得部６１と、ハンドオーバ決定部６２と、許可制御部６３と、ハンドオーバ指示部６４とを備える。
【００２１】
通信部５１は、基地局装置３及びＳ−ＧＷ７との間で通信を行う。管理装置制御部５２は、管理装置５の制御を行う。管理情報記憶部５３は、基地局情報５４及び端末情報５５等のデータを記憶する。基地局情報５４は、自管理装置５の配下の基地局装置３がサポートする無線通信方式及び無線周波数帯等の無線通信リソースの情報などを含む基地局装置３の情報である。端末情報５５は、自管理装置５の配下の基地局装置３の配下の端末装置１がサポートする無線通信方式及び無線周波数帯等の無線通信リソースの情報などを含む端末装置１の情報である。管理装置制御部５２の機能は、管理装置５が備えるＣＰＵがコンピュータプログラムを実行することにより実現される。
【００２２】
測定報告取得部６１は、自管理装置５の配下の基地局装置３の配下の端末装置１と基地局装置３との間の無線通信品質の測定報告を、当該端末装置１からハンドオーバ元の基地局装置３Ｓを介して取得する。測定報告には、端末装置１と当該端末装置１の周辺の基地局装置３との間の無線通信品質の測定結果が含まれる。端末装置１と当該端末装置１の周辺の基地局装置３との間の無線通信品質の測定結果として、例えば、端末装置１が周辺の基地局装置３から受信する無線信号の受信強度の測定結果が挙げられる。端末装置１の周辺の基地局装置３には、ハンドオーバ元の基地局装置３Ｓとハンドオーバ先の基地局装置３Ｔとが含まれる。
【００２３】
ハンドオーバ決定部６２は、端末装置１から取得した測定報告に基づいて当該端末装置１のハンドオーバの決定を行う。許可制御部６３は、ハンドオーバを決定した端末装置１のハンドオーバ先の基地局装置３Ｔの無線通信リソースの情報に基づいて当該端末装置１のハンドオーバの許可制御を行う。ハンドオーバ指示部６４は、ハンドオーバの許可である端末装置１へハンドオーバ元の基地局装置３Ｓを介してハンドオーバ指示を行うと共に、ハンドオーバ先の基地局装置３Ｔへハンドオーバ指示を行う。
【００２４】
次に図５を参照して本実施形態に係るハンドオーバ方法を説明する。図５は、本実施形態に係るハンドオーバ方法の一例を示すシーケンスチャートである。図５において、ユーザプレーン（U-plane）が表記されていない信号は、コントロールプレーン（C-plane）である。
【００２５】
図５において、端末装置１のユーザプレーンのパケットは、当該端末装置１が接続するハンドオーバ元の基地局装置３Ｓを介して、Ｓ−ＧＷ７との間で送受されている。
（ステップＳ１）  管理装置５の測定報告取得部６１は、測定制御情報（Measurement Configuration）を、ハンドオーバ元の基地局装置３Ｓを介して端末装置１へ送信する。
【００２６】
（ステップＳ２）  ハンドオーバ元の基地局装置３Ｓの基地局制御部３３は、該測定制御情報を管理装置５から受信して端末装置１へ転送すると、当該端末装置１に対してアップリンク（Uplink）の割り当て（UL Allocation）を行う。
【００２７】
（ステップＳ３）  端末装置１の端末制御部１２は、自己の測定報告（Measurement Report）を、ハンドオーバ元の基地局装置３Ｓを介して管理装置５へ送信する。このとき、ハンドオーバ元の基地局装置３Ｓの基地局制御部３３は、端末装置１から受信した測定報告を管理装置５へ転送してからの所定の待ち時間Ｔ１の計時を開始する。
【００２８】
（ステップＳ４）  管理装置５のハンドオーバ決定部６２は、端末装置１からハンドオーバ元の基地局装置３Ｓを介して受信した測定報告に基づいて当該端末装置１のハンドオーバの決定を行う。ハンドオーバの決定方法の一例として、端末装置１がハンドオーバ元の基地局装置３Ｓから受信する無線信号の受信強度の測定結果と、当該端末装置１がハンドオーバ先の基地局装置３Ｔから受信する無線信号の受信強度の測定結果との差が、ハンドオーバ先の基地局装置３Ｔへハンドオーバを行うための所要値を満たす場合に当該端末装置１のハンドオーバを決定し、そうではない場合には当該端末装置１のハンドオーバを決定しない、ことが挙げられる。
【００２９】
（ステップＳ５）  管理装置５の許可制御部６３は、ハンドオーバを決定した端末装置１のハンドオーバ先の基地局装置３Ｔの無線通信リソースの情報に基づいて当該端末装置１のハンドオーバの許可制御を行う。ハンドオーバ先の基地局装置３Ｔの無線通信リソースの情報は、基地局情報５４に含まれる。許可制御方法の一例として、ハンドオーバ先の基地局装置３Ｔの無線通信リソースが、当該基地局装置３Ｔが端末装置１を配下にするための所要条件を満たす場合に当該端末装置１のハンドオーバを許可し、そうではない場合には当該端末装置１のハンドオーバを許可しない、ことが挙げられる。
【００３０】
（ステップＳ６）  ハンドオーバ元の基地局装置３Ｓの基地局制御部３３は、待ち時間Ｔ１の計時が完了すると、端末装置１に対してダウンリンク（Downlink）の割り当て（DL Allocation）を行う。
【００３１】
（ステップＳ７）  管理装置５のハンドオーバ指示部６４は、ハンドオーバの許可である端末装置１へハンドオーバ元の基地局装置３Ｓを介してハンドオーバ指示（Handover Command）を行う。このハンドオーバ指示により、端末装置１は、ハンドオーバ先の基地局装置３Ｔへのハンドオーバを開始する。また、ハンドオーバ元の基地局装置３Ｓの基地局制御部３３は、管理装置５から受信した端末装置１へのハンドオーバ指示に基づいて当該端末装置１のハンドオーバの準備を行う。さらに、管理装置５のハンドオーバ指示部６４は、ハンドオーバ先の基地局装置３Ｔへハンドオーバ指示（Handover Command）を行う。ハンドオーバ先の基地局装置３Ｔは、管理装置５からのハンドオーバ指示に基づいて端末装置１のハンドオーバの準備を行う。
【００３２】
なお、待ち時間Ｔ１は、管理装置５が端末装置１の測定報告を受信してから端末装置１のハンドオーバ指示を行うまでに要する時間Ｔ２に基づいて予め決定される。待ち時間Ｔ１は、「Ｔ１＜Ｔ２」であって、ダウンリンクの有効利用の観点から短過ぎないように、適切な長さに決定することが好ましい。
【００３３】
また、ハンドオーバ元の基地局装置３Ｓは、ステップＳ６において端末装置１に対してダウンリンク（Downlink）の割り当て（DL Allocation）を行ってから所定の待ち時間Ｔ３が経過しても、当該端末装置１への管理装置５からのハンドオーバ指示（Handover Command）を受信しない場合には、当該端末装置１に対して行ったダウンリンクの割り当てを解除する。
【００３４】
以降のステップＳ８からステップＳ２２までは、図６に示す従来のハンドオーバ方法のステップＳ１０８からステップＳ１２２に対応する。具体的に説明する。端末装置１は、ハンドオーバ元の基地局装置３Ｓからのデタッチを行い、ハンドオーバ先の基地局装置３Ｔへのハンドオーバを行う（ステップＳ８）。ハンドオーバ元の基地局装置３Ｓはアップリンクについてハンドオーバ先の基地局装置３Ｔへのパケット引継ぎ処理を行う（ステップＳ９）。次いで、ハンドオーバ元の基地局装置３Ｓは、「SN（sequence number） Status Transfer」をハンドオーバ先の基地局装置３Ｔへ送信する（ステップＳ１０）。次いで、ハンドオーバ元の基地局装置３Ｓとハンドオーバ先の基地局装置３Ｔとの間で、ユーザプレーンのアップリンクのデータ転送が行われる。ハンドオーバ先の基地局装置３Ｔは、アップリンクについてハンドオーバ元の基地局装置３Ｓからのパケット引継ぎ処理を行う（ステップＳ１１）。
【００３５】
端末装置１は、ハンドオーバ先の基地局装置３Ｔとの同期確立（Synchronization）を行う（ステップＳ１２）。次いで、ハンドオーバ先の基地局装置３Ｔは、端末装置１に対して、アップリンク（Uplink）の割り当て（UL Allocation）とタイミング調整（TA（Timing Advance））を行う（ステップＳ１３）。次いで、端末装置１は、ハンドオーバ完了（Handover Confirm）をハンドオーバ先の基地局装置へ送信する（ステップＳ１４）。
【００３６】
次いで、ハンドオーバ先の基地局装置３Ｔは、パス切替要求（Path Switch Request）を管理装置５へ送信する（ステップＳ１５）。管理装置５は、パス切替要求に応じて、ユーザプレーンアップデート要求（User Plane Update Request）をＳ−ＧＷ７へ送信する（ステップＳ１６）。Ｓ−ＧＷ７は、ユーザプレーンアップデート要求に応じて、ダウンリンクのパス切替を行う（ステップＳ１７）。次いで、Ｓ−ＧＷ７は、ユーザプレーンアップデート応答（User Plane Update Reply）を管理装置５へ返信する（ステップＳ１８）。次いで、管理装置５は、パス切替要求確認応答（Path Switch Request ACK）をハンドオーバ先の基地局装置３Ｔへ返信する（ステップＳ１９）。次いで、ハンドオーバ先の基地局装置３Ｔは、リソース解放（Release Resource）をハンドオーバ元の基地局装置３Ｓへ送信する（ステップＳ２０）。次いで、ハンドオーバ元の基地局装置３Ｓは、ダウンリンクについてハンドオーバ先の基地局装置３Ｔへのパケット引継ぎ処理を行う（ステップＳ２１）。次いで、ハンドオーバ元の基地局装置３Ｓとハンドオーバ先の基地局装置３Ｔとの間で、ユーザプレーンのダウンリンクのデータ転送がエンドマーカ（End Marker）まで行われる。次いで、ハンドオーバ元の基地局装置３Ｓは、リソース解放を行う（ステップＳ２２）。以降、端末装置１のユーザプレーンのパケットは、当該端末装置１が接続するハンドオーバ先の基地局装置３Ｔを介して、Ｓ−ＧＷ７との間で送受される。
以上が本実施形態に係るハンドオーバ方法の説明である。
【００３７】
上述した実施形態では、管理装置５が測定報告取得部６１とハンドオーバ決定部６２と許可制御部６３とハンドオーバ指示部６４とを備え、ハンドオーバ元の基地局装置３Ｓは管理装置５から端末装置１へのハンドオーバ指示に基づいて当該端末装置１のハンドオーバの準備を行い、ハンドオーバ先の基地局装置３Ｔは、管理装置５からのハンドオーバ指示に基づいて端末装置１のハンドオーバの準備を行う。これにより、本実施形態によれば、コントロールプレーンにおいて、ハンドオーバ元の基地局装置によるハンドオーバ決定に応じたハンドオーバ先の基地局装置へのハンドオーバ要求（Handover Request、図６のステップＳ１０５ａ）と、ハンドオーバ先の基地局装置による許可制御に応じたハンドオーバ元の基地局装置への返答（Handover Request ACK、図６のステップＳ１０５ｃ）とが削除されるので、ハンドオーバにおける基地局間のコントロールプレーンのトラフィック負荷の低減を図ることができるという効果が得られる。
【００３８】
以上、本発明の実施形態について図面を参照して詳述してきたが、具体的な構成はこの実施形態に限られるものではなく、本発明の要旨を逸脱しない範囲の設計変更等も含まれる。
【００３９】
また、上述した各装置の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００４０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４１】
１…端末装置、３Ｓ，３Ｔ…基地局装置、５…管理装置、７…Ｓ−ＧＷ、１１，３１…無線通信部、１２…端末制御部、１３…端末記憶部、３２，５１…通信部、３３…基地局制御部、３４…基地局記憶部、５２…管理装置制御部、５３…管理情報記憶部、６１…測定報告取得部、６２…ハンドオーバ決定部、６３…許可制御部、６４…ハンドオーバ指示部
【図１】
2019068200.tif 000003
【図２】
2019068200.tif 000004
【図３】
2019068200.tif 000005
【図４】
2019068200.tif 000006
【図５】
2019068200.tif 000007
【図６】
2019068200.tif 000008